(57)【特許請求の範囲】
【請求項１】
一次側端子に接続される一次側端子部と、
二次側端子に接続される二次側端子部と、
前記一次側端子部と前記二次側端子部との間に配置され、温度変化を検出する温度センサと、
前記一次側端子部と前記二次側端子部とを分離するセパレート部とを具備した端子台であって、
前記温度センサと、前記温度センサを温度センサユニット本体に固定する固定部とで温度センサユニットを構成しており、
前記セパレート部が、前記温度センサユニットを該セパレート部に係止する突起を有し、
前記温度センサユニットが、前記一次側端子部と前記二次側端子部との間に装着可能に構成されたことを特徴とする端子台。
【請求項２】
請求項１に記載の端子台であって、
前記セパレート部が、樹脂成型品で構成された端子台。
【請求項３】
請求項２に記載の端子台であって、
前記温度センサが前記端子台に直接当接するように構成された端子台。
【請求項４】
請求項１に記載の端子台であって、
前記温度センサユニットは、温度センサ部と、電線を挿通させるハーネス部とが分離された端子台。
【請求項５】
請求項１に記載の端子台であって、
前記温度センサユニットは、前記温度センサの周囲全体を覆う被覆部を備えた端子台。
【請求項６】
請求項５に記載の端子台であって、
前記被覆部がフラット面を有する端子台。
【請求項７】
請求項６に記載の端子台であって、
前記温度センサユニットの前記フラット面を係止する係止部を備えた端子台。
【請求項８】
請求項１に記載の端子台であって、
前記温度センサは、弾性体により前記端子台表面に対して付勢されている端子台。
【請求項９】
請求項１乃至８のいずれか１項に記載の端子台を含む配電装置。
【発明の詳細な説明】
【技術分野】
【０００１】
本発明は、端子台およびこれを用いた配電装置に係り、特に、温度センサを備えた端子台に関する。
【背景技術】
【０００２】
従来、分電盤、制御盤、制御装置等の電気機器収納箱には、内部に収納した電気機器からの電線（内部電線すなわち二次配線）と、外部からの電線（外部電線すなわち一次配線）とを中継する端子台が備えられている（例えば、特許文献１参照）。このような端子台では、電気機器収納箱の製造業者が、電気機器収納箱内の電気機器からの内部電線を接続する。一方、外部電線の接続は、電気機器収納箱を現場に設置した後に、現場の施工業者が行う。
【先行技術文献】
【特許文献】
【０００３】
【特許文献１】特開２００５−６９６３８号公報
【発明の概要】
【発明が解決しようとする課題】
【０００４】
このように内部電線すなわち二次配線と、外部電線すなわち一次配線とが接続される端子台は、内部電線を接続した状態で出荷され、現場では外部電線の接続のみを行う。しかし、現場の施工業者が、電気機器収納箱内に外部電線を接続する際に、接続がゆるみ、発熱しやすいという課題があった。
【０００５】
本発明は、前記実情に鑑みてなされたものであり、その目的は、端子の不完全接続などの異常に対して温度センサが確実に反応する安全機能を備えた端子台を提供することにある。
【課題を解決するための手段】
【００２１】
また本発明は、上記端子台であって、一次側端子に接続される一次側端子部と、二次側端子に接続される二次側端子部と、前記一次側端子部と前記二次側端子部との間に温度変化を検出する温度センサと、前記一次側端子部と前記二次側端子部とを分離するセパレート部とを具備した端子台であって、前記温度センサと、前記温度センサを温度センサユニット本体に固定する固定部とで温度センサユニットを構成しており、前記セパレート部が、前記温度センサユニットを該セパレート部に係止する突起を有し、前記温度センサユニットが、前記一次側端子部と前記二次側端子部との間に装着可能に構成されたものを含む。
【００２２】
また本発明は、上記端子台であって、前記セパレート部が、樹脂成型品で構成されたものを含む。
【００２３】
また本発明は、上記端子台であって、前記温度センサが前記端子台に直接当接するように構成されたものを含む。
【００２４】
また本発明は、上記端子台であって、前記温度センサユニットは、温度センサ部と、電線を挿通させるハーネス部とが分離されたものを含む。
【００２５】
また本発明は、上記端子台であって、前記温度センサユニットは、前記温度センサの周囲全体を覆う被覆部を備えたものを含む。
【００２６】
また本発明は、上記端子台であって、前記被覆部がフラット面を有するものを含む。
【００２７】
また本発明は、上記端子台であって、前記温度センサユニットの前記フラット面を係止する係止部を備えたものを含む。
【００２８】
また本発明は、上記端子台であって、前記温度センサは、弾性体により前記端子台表面に対して付勢されているものを含む。
【００２９】
また本発明は、上記端子台を含む配電装置を提供する。
【発明の効果】
【００３０】
上記構成によれば、端子の不完全接続などの異常に対して温度センサが確実に反応し得、安全を確保することのできる端子台を提供することができる。
また、一次側端子部と二次側端子部との間に、温度センサが配されているため、一次側端子部と二次側端子部との両側の異常検知が可能である。
このため、端子台が更に加熱されて焼損、発火することがない。
【図面の簡単な説明】
【００３１】
【図１】本発明の実施の形態１の端子台を示す斜視図
【図２】本発明の実施の形態１の端子台を示す分解斜視図であり、（ａ）は端子台本体、（ｂ）は温度ヒューズユニットを示す図
【図３】本発明の実施の形態１の端子台の断面図
【図４】本発明の実施の形態１の温度ヒューズユニットを示す図であり、（ａ）は、温度ヒューズユニットの正面図、（ｂ）は（ａ）のＡ−Ａ断面図、（ｃ）は（ｂ）のＢ−Ｂ断面図
【図５】実施の形態２の端子台を用いた分電盤を示す斜視図
【図６】実施の形態２の端子台のＰ―Ｐ断面図
【図７】実施の形態２の端子台の変形例を示す図
【図８】実施の形態３の端子台の全体図であり、（ａ）は、この端子台の上面図、（ｂ）は正面図、（ｃ）は側面図
【図９】実施の形態３の端子台の銘板取付後の端子台を示す斜視図
【図１０】実施の形態３の端子台の銘板取付前の端子台を示す斜視図
【図１１】図８（ｂ）のＡ−Ａ断面図
【図１２】図８（ａ）のＢ−Ｂ断面図
【図１３】図８の端子台の変形例を示す図
【図１４】実施の形態４の端子台の全体図であり、（ａ）は、この端子台の上面図、（ｂ）は正面図、（ｃ）は側面図
【図１５】銘板取付後の端子台を示す斜視図
【図１６】銘板取付前の端子台を示す斜視図
【図１７】図１４（ｂ）のＡ−Ａ断面図
【図１８】図１４（ａ）のＢ−Ｂ断面図
【図１９】温度センサユニット取り外し後の図１４（ｂ）のＡ−Ａ断面図
【図２０】温度センサユニット取り外し後の図１４（ａ）のＢ−Ｂ断面図
【図２１】温度センサユニットを示す図であり、（ａ）は正面図、（ｂ）は断面図
【図２２】本発明の実施の形態４の温度センサユニットの変形例を示す図
【図２３】本発明の実施の形態５の端子台の要部を示す斜視図
【図２４】この端子台を示す断面図
【図２５】温度ヒューズユニットを示す図であり、（ａ）は、温度ヒューズユニットの正面図、（ｂ）は背面図、（ｃ）は（ｂ）のＡ−Ａ断面図、（ｄ）は要部拡大斜視図
【図２６】温度ヒューズユニットの露呈面からみた図
【発明を実施するための形態】
【００３２】
本発明の端子台について、図面を参照しつつ詳細に説明する。
（実施の形態１）
図１は、実施の形態１の端子台を示す斜視図、図２はこの端子台を示す分解斜視図であり、（ａ）は端子台本体、（ｂ）は温度ヒューズユニットを示す図である。図３は端子台の断面図、図４は温度ヒューズユニットを示す図であり、（ａ）は、温度ヒューズユニットの正面図、（ｂ）は（ａ）のＡ−Ａ断面図、（ｃ）は（ｂ）のＢ−Ｂ断面図である。
【００３３】
この端子台１００は、図１に示すように、端子台本体１０に、一次側端子に接続される一次側端子部１１と、二次側端子に接続される二次側端子部１２と、一次側端子部１１と二次側端子部１２との間に温度変化を検出する温度センサを備えたことを特徴とする。ここでは一次側端子部１１、二次側端子部１２ともに８個の端子を備えるが、各端子部は隔壁１０ｓで分離されている。温度センサとしては、所定の温度以上になるとこれを検知して溶断する温度ヒューズ２３を用いている。そして温度ヒューズ２３を備えた温度ヒューズユニット２０を構成している。そして、温度ヒューズ２３は、信号線を構成する電線２４に接続される。
【００３４】
そしてこの温度センサを含む温度ヒューズユニット２０は、銘板としての板状体からなり、温度センサを装着するように構成された温度ヒューズ本体部２１と、これを覆う筒状のカバー２２とを備え、このカバー２２が端子台本体１０に装着される。
この筒状のカバーは、透明な樹脂からなる樹脂成型品で構成される。そしてこの端子台は、一次側端子部１１と二次側端子部１２とを分離するセパレート部１３が、端子台本体１０と一体成型で形成されている。そして温度ヒューズ本体部２１が、セパレート部１３に直接当接している。
【００３５】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
１４は端子台本体１０の両端の支持板であり、それぞれ支持板本体１４ａと、取り付け突起１４ｂと、ビス１４ｃとを有している。また１５は端子板であり、この端子板１５に形成された配線パターンによって一次側端子部と二次側端子部とが接続されている。
【００３６】
また、図４に示すように、この筒状のカバーは、温度ヒューズが打ちあがることなく収納できるように、孔と端子台の銘板を固定するための複数個の突起としての上記隔壁１０ｓにひっかけることができるようにツメ２５を具備している。
【００３７】
上記構成によれば、温度ヒューズ２３があらかじめカバー２２にセットされたものを端子台本体１０に取り付けることができるため、組み立て作業性が向上する。
またカバー２２は端子台本体１０の複数個の突起すなわち隔壁１０ｓで確実に保持されているため、温度ヒューズ２３が動作するまでの間で熱変形によりカバーが外れるおそれもない。
またこの構成によれば、端子の不完全接続などの異常に対してセンサが確実に反応することができるため、確実な安全装置として作用する。
【００３８】
なお、前記実施の形態では、温度ヒューズを用いたが、高温を検知して溶断する温度ヒューズに代えて、単に温度センサを用いて、警告信号を発信したり、別の場所で警告音を発するようにしてもよい。
また前記実施の形態１ではツメ２５は一体的に形成したが、複数個のツメを形成してもよく、またこのツメ２５に係止される突起についても適宜形状を選択すればよい。
【００３９】
（実施の形態２）
次いで、本発明の実施の形態２について、図面を参照して説明する。
図５は、実施の形態２の端子台を用いた分電盤を示す斜視図、図６はそのＰ―Ｐ断面図である。
本実施の形態では一次側端子部１１と二次側端子部１２との間に金属遮蔽板１６を配置した端子台１００を用いた分電盤Ｂについて説明する。
分電盤Ｂとしては通常の構成を示すものであるが、表示部Ｄ、端子台１００を備えている。この端子台１００は一次側端子部１１と二次側端子部１２との間に金属遮蔽板１６を具備している。そして図６に示すように、温度ヒューズ２３が樹脂製のカバー２２で完全に覆われて、温度ヒューズユニット２０を構成しており、これが、端子台本体１０と一体成型で形成された樹脂製のセパレート部１３に装着されている。１５は端子板であり、この端子板１５の中央部に金属遮蔽板１６が装着されている。なお、図１に示した実施の形態１の端子台と同一の部分については同一の符号を付して、詳細な説明は省略する。
【００４０】
この構成によれば、温度ヒューズ２３が完全に樹脂製のカバー２２で覆われているため、温度ヒューズ自体の絶縁対策が不要となる。
また、一次側端子部１１と二次側端子部１２との間に金属遮蔽板１６で配置する場合、金属遮蔽板と端子台との間での絶縁対策が不要となるため、金属遮蔽板と端子台との間で異物侵入防止対策として隙間を小さくすることができる。
またこの樹脂製のカバーを透明のアクリル樹脂で構成することにより、内蔵する温度ヒューズ２３の位置、状態などを容易に確認することができる。
【００４１】
比較のために、温度ヒューズユニットを設けない場合あるいは、温度ヒューズを設けたとしても、温度ヒューズ２３にカバー２２を設けない場合は、端子部と金属遮蔽板１６との短絡を防ぐために距離を維持する必要がある。図７に示すように温度ヒューズユニットを設けない場合、金属遮蔽板１６と、一次側端子部１１および二次側端子部１２との間の絶縁距離が短くなるため、短絡を生じ易くなる。このため絶縁性を確保するためには、一定以上の絶縁距離を維持するように温度ヒューズ２３の高さを高くする必要がある。
【００４２】
なお、前記実施の形態２では、温度ヒューズを用いたが、実施の形態１の場合と同様、高温を検知して溶断する温度ヒューズに代えて、単に温度センサを用い、警告信号を発信したり、別の場所で警告音を発するようにしてもよい。
【００４３】
（実施の形態３）
次に本発明の実施の形態３の端子台について説明する。この例では、図８乃至図１２に示すように、端子台の一次側端子部１１と二次側端子部１２とを分断している端子板上面のセパレート部に温度センサユニット２０Ｓを設けたものである。図８はこの端子台の全体図であり、（ａ）は、この端子台の上面図、（ｂ）は正面図、（ｃ）は側面図である。また図９は銘板取付後の端子台を示す斜視図、図１０は銘板取付前の端子台を示す斜視図である。図１１および図１２は図８（ａ）のＡ−Ａ断面図および図８（ｂ）のＢ−Ｂ断面図である。
【００４４】
セパレート部１３は一及び二次側端子部間領域を貫通する貫通溝１３Ｍを有しており、この貫通溝１３Ｍに温度センサ２３Ｓを装着している。なおこのセパレート部については端子台本体１０と一体成型されている。
【００４５】
この端子台１００Ｓは、図８に示すように、前記実施の形態１に示した端子台と同様、端子台本体１０に、一次側端子に接続される一次側端子部１１と、二次側端子に接続される二次側端子部１２と、温度変化を検出する温度センサ２３Ｓを備えたことを特徴とする。この温度センサ２３Ｓはセパレート部１３に設けられた貫通溝１３Ｍに装着され、端子台の端子板１５に直接接触するように構成されている。なおセパレート部１３は、温度センサ２３Ｓを係止する突起１８を有しており、この突起１８によりしっかりと接続されている。
【００４６】
また、セパレート部１３は一次側端子部１１と二次側端子部１２との間に端子台と一体成型で形成される。ここでは一次側端子部１１、二次側端子部１２ともに８個の端子を備えるが、各端子部は隔壁１０ｓで分離されている。温度センサとしては、白金薄膜センサを用いた温度センサ２３Ｓを用いている。そして、温度センサ２３Ｓは、信号線を構成する電線２４に接続される。さらに一及び二次側端子部を両端で支持する支持板１４を備えており、図９に示すように、この支持板１４は、一及び二次側端子部に接続された出力線用の導出口１９を有する。また支持板１４は、それぞれ肉盗みにより肉薄化された肉薄部１４Ｆを有している。
そしてこの温度センサ２３Ｓは、銘板２６としての板状体からなる蓋部で保護されている。
この端子台において、一次側端子部１１と二次側端子部１２とを分離するセパレート部１３に設けられた貫通溝１３Ｍ内に温度センサ２３Ｓが挿入され端子板１５に直接接触している。そして外側を銘板２６で覆われている。
【００４７】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
１４は端子台本体１０の両端の支持板であり、それぞれ支持板本体１４ａと、取り付け突起１４ｂと、ビス１４ｃとを有している。
【００４８】
上記構成によれば、一次側端子部１１と二次側端子部１２とを分離するセパレート部１３に温度センサ２３Ｓを設けているため、端子の不完全接続などの異常に対して温度センサ２３Ｓが確実に反応し、一次側及び二次側の両側の異常検知が可能である。
また端子台と一体成型されたセパレート部に温度センサ装着用の貫通溝を設け、この貫通溝から温度センサ２３Ｓのカバーを構成する絶縁体を露出させ、異常を検知するための検知対象である導体部と温度センサとを直接接触させるようにしているため、異常状態の検知精度が向上する。また温度センサを被覆することなく絶縁を行うことが可能である。
【００４９】
さらにまた端子台１００のセパレート部１３の貫通溝１３Ｍの内壁に温度センサ２３Ｓをひっかける突起１８を有しているため、異常時でも温度センサが脱落するのを防止することができ、安定した温度検知が可能となる。
また本実施の形態では、端子台のセパレート部の長手方向全体にわたり、貫通溝を形成し、この貫通溝内に温度センサを配設しているため、容易に確実な温度検出が実現される。
【００５０】
また、支持板は、前記一及び二次側端子部に接続された出力線（電線２４）用の導出口を有するため、端子のネジ絞め等への影響を抑制することができる。この出力線用の導出口は、貫通穴でもよいし、切り込みを設けて切断を容易にするいわゆるノックアウト部で構成してもよい。あるいは切り起こし片で構成してもよい。
また、温度センサ２３Ｓのハーネスは全極を直列で出力するようにしてもよいし、単極毎の取り出しも可能である。
更にまた、セパレート部１３に装着される、温度センサ２３Ｓを覆うように蓋部として銘板２６を配置することで、温度センサの導電部の絶縁確保を行うことが可能となる。また美観の向上をはかることが可能となる。
【００５１】
前記実施の形態においては、各端子に一つの温度センサを配置するようにしたが、図１３に変形例を示すように、隣接する２つの端子部の間に一つの温度センサ２３Ｓを配置するようにしてもよい。これにより温度センサの数を低減することができる。２７は仕切り壁であり、温度センサ２３Ｓの固定のために用いられる。
なお、温度センサユニットを構成する場合にも、隣接する２つの端子部の間に相当する領域毎に一つの温度センサ２３Ｓを配置するようにしてもよい。
【００５２】
（実施の形態４）
次に本発明の実施の形態４の端子台について説明する。この例では、図１４乃至図１８に示すように、端子台の一次側端子部１１と二次側端子部１２とを分断している端子板１５上面のセパレート部１３に温度センサユニット２０Ｂを設けたものである。図１４はこの端子台の全体図であり、（ａ）は、この端子台の上面図、（ｂ）は正面図、（ｃ）は側面図である。また図１５は銘板取付後の端子台を示す斜視図、図１６は銘板取付前の端子台を示す斜視図である。図１７および図１８は図１４のＡ−Ａ断面図およびＢ−Ｂ断面図である。図１９及び図２０は温度センサユニット取り外し後の、図１４のＡ−Ａ断面図およびＢ−Ｂ断面図に相当する図である。図２１は温度センサユニットを示す図であり、（ａ）は正面図、（ｂ）は断面図である。
【００５３】
セパレート部１３は一及び二次側端子部間領域を貫通する貫通溝１３Ｍを有しており、このセパレート部１３に温度センサユニット２０Ｓを装着している。なおこのセパレート部については端子台本体１０と一体成型されて、凹部を形成しているが、一次側端子部１１と、二次側端子部１２との間に、空間を形成し、この空間をセパレート部１３としてもよい。そしてこのセパレート部１３に温度センサユニット２０Ｓを配してもよい。
【００５４】
この端子台１００Ｓは、図１８に示すように、前記実施の形態１に示した端子台と同様、端子台本体１０に、一次側端子に接続される一次側端子部１１と、二次側端子に接続される二次側端子部１２と、温度変化を検出する温度センサユニット２０Ｓを備えたことを特徴とする。この温度センサユニット２０Ｓはセパレート部に設けられた貫通溝１３Ｍに装着され、端子台１００の端子板１５に直接接触するように構成されている。なおセパレート部１３は、温度センサユニット２０Ｓを係止する突起１８を有しており、この突起１８によりしっかりと接続されている。
【００５５】
またこの温度センサユニット２０Ｓは、温度センサ部２０Ｃと、電線（リード：信号線）２４を挿通させるハーネス部２０Ｈとが分離されている。
また、この温度センサユニット２０Ｓは、温度センサ２３Ｓの３方を覆うカバーを有している。なお温度センサユニット２０Ｓが、温度センサ２３Ｓの周囲全体を覆うカバーを有するようにしてもよい。
【００５６】
さらにまたこの被覆部としてのカバーがフラット面を有しており、このフラット面上にさらに銘盤が装着されている。
加えて、この温度センサユニットのフラット面を係止する係止部を有していてもよい。
【００５７】
本実施の形態の端子台によれば、温度センサがユニット化されているため、組み立て時の作業性がきわめて良好である。
また温度センサがユニット化されているため、着脱が容易であり、メンテナンスが容易となる。さらに、温度センサとして温度ヒューズを用いた場合には、溶断後温度ヒューズを取り替える場合にも容易に取り換えが可能である。
【００５８】
さらにまた温度センサのカバーが直接端子板１５に当接するように構成することができ、異常状態の検知精度が向上する。また温度センサを被覆することなく、安全に維持することができる。
【００５９】
また、温度センサ部２０Ｃと、電線（信号線）２４を挿通させるハーネス部２０Ｈとを分離し、温度センサ部２０Ｃと、電線（信号線）２４を挿通させるハーネス部２０Ｈは独立して保持できるようになっている。このため温度センサ２０Ｃを直列接続し、片方向のみに出線する場合、温度センサ２３のリード（電線）と折り返しの電線が接触することがないため、電線の絶縁レベルを下げることができ、経済的である。さらにまた折り返しの電線がユニットのハーネス部区画から容易には外れないようにすることができ、ユニットの着脱がより容易となる。
【００６０】
また、この温度センサユニット２０Ｓは、温度センサ２３Ｓの３方を覆うカバーを有しており、セパレート部に装着すると、外側から露出することなく完全に覆われることになるため、温度センサを完全に覆うことができ、絶縁、充電部保護を図ることができ、安全性を確保することができる。
【００６１】
さらにまたこの被覆部としてのカバーがフラット面を有しているため、直接フラット面に印字することができる。また、このフラット面に、各極間での境界が明確になるように凹凸を形成してもよい。
【００６２】
またこのフラット面上にさらに銘盤を装着することで、温度センサユニットにひっかけなどの固定部をあらかじめ成形しておく必要がないため、金型等に対する初期投資を低減することができる。
【００６３】
加えて、この温度センサユニットのフラット面を係止する係止部を有していてもよい。
【００６４】
また本実施の形態の変形例として図２２に示すように、温度センサ２３Ｓは、弾性体としての板ばね３０により端子台本体（図示せず）表面に対して付勢されるようにしてもよい。
【００６５】
（実施の形態５）
図２３は、実施の形態５の端子台の要部を示す斜視図、図２４はこの端子台を示す断面図である。図２５は温度ヒューズユニットを示す図であり、（ａ）は、温度ヒューズユニットの正面図、（ｂ）は背面図、（ｃ）は（ａ）のＡ−Ａ断面図、（ｄ）は要部拡大斜視図である。図２６は、温度ヒューズユニットの露呈面からみた図である。
【００６６】
この端子台１００は、図２４に示すように、この端子台１００は一次側端子部１１と二次側端子部１２との間に金属遮蔽板１６を具備しており、この金属遮蔽板１６より二次側端子部１２側に温度ヒューズユニット２０を配したことを特徴とする。そしてこの場合も、温度ヒューズ２３が３方を樹脂製のカバー２２で完全に覆われて、温度ヒューズユニット２０を構成しており、これが、端子台本体１０と一体成型で形成された樹脂製のセパレート部１３に装着されている。１５は端子板であり、この端子板１５の中央部に金属遮蔽板１６が装着されている。なお、図１に示した実施の形態１の端子台と同一の部分については同一の符号を付して、その詳細な説明は省略する。
【００６７】
端子台本体１０に、一次側端子に接続される一次側端子部１１と、二次側端子に接続される二次側端子部１２と、一次側端子部１１と二次側端子部１２との間に温度変化を検出して所定の温度以上となったときに溶断する温度ヒューズ２３とを備えている。ここでは一次側端子部１１、二次側端子部１２ともに８個の端子を備えるが、各端子部は隔壁１０ｓで分離されている。温度センサとしては、所定の温度以上になるとこれを検知して溶断する温度ヒューズ２３を用いている。そして温度ヒューズ２３を備えた温度ヒューズユニット２０を構成している。そして、温度ヒューズ２３は、信号線を構成する電線２４に接続される。
【００６８】
危険度の高い一次側端子部１１の側に温度ヒューズユニットを配置しているため、危険度の高い側の異常温度の検知が早くなり、安全性の向上を図ることができる。
また、温度ヒューズユニットにカバーを配しているため、金属遮蔽板と一次側及び二次側端子部との絶縁性を高めることができる。従って端子台と金属遮蔽板との隙間を小さくすることができ、異物混入リスクの軽減をはかることができる。
【００６９】
温度ヒューズ固定用のカバー２２においては、裏側には温度ヒューズ２３を固定するための樹脂製の蓋体２６Ｆを設けている。これにより温度ヒューズ２３と金属遮蔽板１６との間の絶縁を維持することができる。
【００７０】
さらにまた、カバー２２または蓋体２６Ｆのいずれかに温度ヒューズ位置決め用の壁部として仕切り壁２７を設けることにより、温度ヒューズ位置を正確に維持することができ、温度以上検知精度がさらに向上する。
【００７１】
以上の実施の形態において、セパレート部は、樹脂成型によって形成されてもよいし、何もない状態で、一次側端子部と二次側端子部との間の領域であってもよい。
【符号の説明】
【００７２】
１０      端子台本体
１０ｓ    隔壁
１１      一次側端子部
１１ａ    端子ネジ
１１ｂ    台座
１２      二次側端子部
１２ａ    端子ネジ
１２ｂ    台座
１３      セパレート部
１４      支持板
１４ａ    支持板本体
１４ｂ    取り付け突起
１４ｃ    ビス
１５      端子板
２１      温度ヒューズ本体部
２２      カバー
２３      温度ヒューズ
２６      銘板
２６Ｆ    蓋体
２７      仕切り壁
１００      端子台
【図１】
0005919548.tif 000002
【図２】
0005919548.tif 000003
【図３】
0005919548.tif 000004
【図４】
0005919548.tif 000005
【図５】
0005919548.tif 000006
【図６】
0005919548.tif 000007
【図７】
0005919548.tif 000008
【図８】
0005919548.tif 000009
【図９】
0005919548.tif 000010
【図１０】
0005919548.tif 000011
【図１１】
0005919548.tif 000012
【図１２】
0005919548.tif 000013
【図１３】
0005919548.tif 000014
【図１４】
0005919548.tif 000015
【図１５】
0005919548.tif 000016
【図１６】
0005919548.tif 000017
【図１７】
0005919548.tif 000018
【図１８】
0005919548.tif 000019
【図１９】
0005919548.tif 000020
【図２０】
0005919548.tif 000021
【図２１】
0005919548.tif 000022
【図２２】
0005919548.tif 000023
【図２３】
0005919548.tif 000024
【図２４】
0005919548.tif 000025
【図２５】
0005919548.tif 000026
【図２６】
0005919548.tif 000027